(57)【特許請求の範囲】
【請求項１】
電話回線の屋内配線部の少なくとも二つ以上の分岐端子に設けられ、この分岐端子間の屋内配線部を独立配線として電話回線から切り離す切換スイッチと、
前記独立配線の屋外配線部側に設けられ、配線の異常を診断する信号の送受信を行う第一診断ユニットと、
前記独立配線の端末側に設けられ、配線の異常を診断する信号の送受信を行う第二診断ユニットと、
前記第一診断ユニットおよび第二診断ユニット間の診断信号の送受に基づいて前記独立配線の異常を診断する異常診断部と、
を有し、
第一診断ユニットは、
前記切換スイッチの切り換えを制御する制御部と、
前記切換スイッチの屋外配線部側に接続され、端末側への着信要求を検出する着信要求検出部と、
前記切換スイッチの端末側に接続され、端末側からの発信要求を検出する発信要求検出部と、を備え、
前記制御部は、前記着信要求検出部において着信要求が検出された際、あるいは前記発信要求検出部において発信要求が検出された際には、前記独立配線を電話回線に接続するよう切換スイッチを切り換え、配線の異常診断を中断することを特徴とする屋内電話配線の異常診断システム。
【請求項２】
前記制御部は、前記着信要求による着信もしくは前記発信要求による発信の終了に伴い、前記独立配線を電話回線から切り離すよう切換スイッチを切り換えることを特徴とする請求項１に記載の屋内電話配線の異常診断システム。
【請求項３】
前記配線の異常診断を中断したことを記憶する記憶部を備えることを特徴とする請求項１または２に記載の屋内電話配線異常診断システム。
【請求項４】
前記配線の異常診断を開始するトリガ信号を検出するトリガ信号検出部を備える請求項１乃至３に記載の屋内電話配線の異常診断システム。
【請求項５】
屋内電話配線の分岐端子を介して接続され、請求項１乃至４に記載の屋内電話配線の異常診断システムに用いられる異常診断ユニットにおいて、
屋内電話配線の接続／遮断を切り換える切換スイッチと、
切換スイッチの遮断により分離された前記配線の一方側に接続され、接続された側の配線に対して配線の異常を診断する診断信号を送信し、この診断信号に対する返送信号を受信する信号送受信部と、
前記信号送受信部において送信した診断信号と受信した返送信号とに基づいて、信号送受信部の接続された側の配線の異常を診断する異常診断部と、
を備える屋内電話配線異常診断システム用異常診断ユニット。
【請求項６】
前記切換スイッチにより遮断される前記屋内電話配線に分岐端子を介して接続され、これら配線の信号を検出する信号検出部を備えることを特徴とする請求項５に記載の屋内電話配線異常診断システム用異常診断ユニット。
【請求項７】
屋内電話配線の分岐端子を介して接続され、請求項１乃至４に記載の屋内電話配線の異常診断システムに用いられる診断信号返信ユニットにおいて、
屋内電話配線の接続／遮断を切り換える切換スイッチと、
切換スイッチの遮断により分離された前記配線の一方側に接続され、接続された側の前記配線から配線の異常を診断する診断信号を受信し、この診断信号をそのまま接続された側の前記配線に返送する信号送受信部と、
を備える屋内電話配線異常診断システム用診断信号返送ユニット。
【発明の詳細な説明】
【０００１】
【発明の属する技術分野】
本発明は、屋内電話配線、特にＩＳＤＮ（Integrated Services Digital Network；総合サービスディジタル網）用の屋内電話配線の異常を診断するシステムに関する。
【０００２】
【従来の技術】
インターネットの普及に伴い、複数回線を同時に利用することができるＩＳＤＮサービスへの加入者はますます増大している。ＩＳＤＮ用の屋内電話配線は、種々の機器（パーソナルコンピュータ、電話機、ファクシミリ等）を接続可能であるため、これらの機器、他の電気製品、またはＤＳＵ（Digital Service Unit；ディジタルサービスユニット）等のレイアウトによっては、屋内を長い区間引き回され、これらの電源線とこの屋内電話配線とが屋内で併走する状態を生じる場合がある。このような場合、電源線の電流により生じる磁界が原因で、屋内電話配線を通過する信号にノイズが発生することがある。
【０００３】
また、配線工事後に配線の接続状態を確認する配線確認器としては、例えば特開平９−６４９５５号公報に開示されるようなものが従来より知られている。この配線確認器は、工事施工後の導通確認に用いられる。
【０００４】
【発明が解決しようとする課題】
しかしながら、このような従来の配線確認器は工事施工後に屋内電話配線の導通を確認するために用いられるものであり、既に使用中の屋内電話配線に前記したようなノイズが発生した場合に、迅速にその原因を究明し、有効な対策を講じることはできなかった。本発明はこのような事情に鑑みてなされたものであり、その目的は、屋内電話配線、特にＩＳＤＮ用屋内電話配線の異常をより迅速かつより的確に把握することにある。
【０００５】
【課題を解決するための手段】
本発明にかかる屋内電話配線の異常診断システムは、電話回線の屋内配線部の少なくとも二つ以上の分岐端子に設けられ、この分岐端子間の屋内配線部を独立配線として電話回線から切り離す切換スイッチと、前記独立配線の屋外配線部側に設けられ、配線の異常を診断する信号の送受信を行う第一診断ユニットと、前記独立配線の端末側に設けられ、配線の異常を診断する信号の送受信を行う第二診断ユニットと、前記第一診断ユニットおよび第二診断ユニット間の診断信号の送受に基づいて前記独立配線の異常を診断する異常診断部と、を有し、第一診断ユニットは、前記切換スイッチの切り換えを制御する制御部と、前記切換スイッチの屋外配線部側に接続され、端末側への着信要求を検出する着信要求検出部と、前記切換スイッチの端末側に接続され、端末側からの発信要求を検出する発信要求検出部と、を備え、前記制御部は、前記着信要求検出部において着信要求が検出された際、あるいは前記発信要求検出部において発信要求が検出された際には、前記独立配線を電話回線に接続するよう切換スイッチを切り換え、配線の異常診断を中断するものである。
【０００７】
また本発明にかかる屋内電話配線の異常診断システムは、前記着信要求による着信もしくは前記発信要求による発信の終了に伴い、前記独立配線を電話回線から切り離すよう切換スイッチを切り換えるものである。
【０００８】
また本発明にかかる屋内電話配線の異常診断システムは、前記配線の異常診断を中断したことを記憶する記憶部を備えるものである。
【０００９】
また本発明にかかる屋内電話配線の異常診断システムは、前記配線の異常診断を開始するトリガ信号を検出するトリガ信号検出部を備えるものである。
【００１０】
また本発明にかかる屋内電話配線異常診断システム用異常診断ユニットは、屋内電話配線の分岐端子を介して接続される診断ユニットにおいて、屋内電話配線の接続／遮断を切り換える切換スイッチと、切換スイッチの遮断により分離された前記配線の一方側に接続され、接続された側の配線に対して配線の異常を診断する診断信号を送信し、この診断信号に対する返送信号を受信する信号送受信部と、前記信号送受信部において送信した診断信号と受信した返送信号とに基づいて、信号送受信部の接続された側の配線の異常を診断する異常診断部と、を備えるものである。
【００１１】
また本発明にかかる屋内電話配線異常診断システム用異常診断ユニットは、前記切換スイッチにより遮断される前記屋内電話配線に分岐端子を介して接続され、これら配線の信号を検出する信号検出部を備えるものである。
【００１２】
また本発明にかかる屋内電話配線異常診断システム用診断信号返送ユニットは、屋内電話配線の接続／遮断を切り換える切換スイッチと、切換スイッチの遮断により分離された前記配線の一方側に接続され、接続された側の前記配線から配線の異常を診断する診断信号を受信し、この診断信号をそのまま接続された側の前記配線に返送する信号送受信部と、を備えるものである。
【００１３】
【発明の実施の形態】
以下、本発明の屋内電話配線異常診断システムをＩＳＤＮ屋内電話配線の診断に適用した第一の実施の形態について図面を参照しながら説明する。図１には、本システムの概略構成図を、図２には、本システムにおける異常診断ユニットの概略構成図を、また図３には、本システムにおける診断信号返送ユニットの概略構成図を、それぞれ示す。
【００１４】
本実施の形態にかかる屋内電話配線異常診断システム１は、異常診断ユニット２（以下、単に診断ユニット２と記す）と、診断信号返送ユニット３（以下、単に返送ユニット３と記す）とを備える。この異常診断システム１は、図１に示すように、異常診断ユニット２をＤＳＵ４に、また返送ユニット３を端末（Ａ，Ｂ，Ｃ）５に、それぞれ隣接して備える。屋内配線部６には、複数の分岐端子ｔが設けられており、本システム１は、この複数の分岐端子間の屋内配線部６ａに対して配線の異常診断を行う。なお本発明で言う分岐端子には、配線を分岐する端子に加え、配線の接続／遮断を切り換える端子も含まれる。
【００１５】
診断ユニット２は、診断システム制御部２ａを備える。またこの診断ユニット２は、信号送受信部２ｂ、切換スイッチ２ｃ、信号検出部２ｄ，２ｅ、記憶部２ｆ、診断実施設定部２ｇ、入力部２ｈ、および出力部２ｉを備え、これらはそれぞれ診断システム制御部２ａに接続されている。本実施の形態においてこの診断ユニット２は、分岐端子間の屋内配線部６ａにおいて屋外配線部７側に設けられた第一の診断ユニットに相当する。
【００１６】
診断システム制御部２ａは、診断ユニット２の制御を司る。即ち、信号送受信部２ｂにおける信号の送受信の制御、および切換スイッチ２ｃにおける接続の切り換えの制御を行う。また、返送ユニット３に対する制御信号（例えば診断の開始、中断、終了、あるいは再開を指令する信号等）を生成し、これによる返送ユニット３の制御も行い、即ち本システム１の制御を行う。また、診断システム制御部２ａは、診断信号と返送信号とを比較して、屋内配線の異常を診断する異常診断部として機能する。また、信号検出部２ｄ，２ｅにおいて検出されたトリガ信号に基づいて、異常診断を開始するか否かの判別も行う。
【００１７】
信号送受信部２ｂは、返送ユニット３との間で配線の異常を診断する信号（即ち本実施の形態では診断信号と返送信号）等の信号の送受信を行う。返送ユニット３に送信する信号としては、配線診断に用いる診断信号の他、診断の実施にかかる信号、例えば診断の開始、中断、終了、あるいは再開を指令する信号等がある。また返送ユニット２から受信する信号としては、診断信号に対する返送信号や、診断の実施にかかる信号、例えば診断の開始、中断、終了、あるいは再開を確認または拒否する信号等がある。この信号送受信部２ｂにおいて送受信される信号には、それぞれＩＳＤＮの情報チャネルビットの一つ（例えばＢ１，Ｂ２，Ｄチャネル等）が用いられる。
【００１８】
切換スイッチ２ｃは、屋内配線部６の分岐端子ｔに設けられ、診断実施側の配線６ａ（即ち前記分岐端子間の屋内配線部６ａ）を電話回線から独立配線として切り離す。本実施の形態において切換スイッチ２ｃは、診断システム制御部２ａによりその切り換えを制御される。また、切換スイッチ２ｃは、屋内配線部６の遮断時において、診断実施側の配線６ａと信号送受信部２ｂとを接続する。遮断時においてこの切換スイッチ２ｃは、屋内配線部６を通じた通常の電話回線使用（即ち着信または発信）を不能とし、診断実施側配線６ａを屋外配線部７または端末５から分離独立させる。
【００１９】
切換スイッチ２ｃの端末５側、および屋外配線部７側の屋内配線部６には、それぞれ信号検出部２ｄ，２ｅがそれぞれ接続される。これら信号検出部２ｄ，２ｅは、電話回線を通じた通話信号、端末５側からの発信要求、屋外配線部７側からの着信要求等を検出する。また、これらは、電話回線における異常診断を開始するトリガ信号を検出する。本実施の形態では、このトリガ信号として例えばレイヤ１の同期化信号を用いる。ＤＳＵ４と、端末５に内蔵または外部接続されるＴＡ（Terminal Adapter；ターミナルアダプタ）との間でやりとりされるレイヤ１の同期化信号は、その状態に応じて５段階（info0,info1,info2,into3,info4）に分けられる。このうちinfo4は正常な通信状態を、またinfo4への移行時以外のinfo0〜info3は何らかの通信異常を示すため、本実施の形態ではこれを検出して、異常診断のトリガとする。
【００２０】
記憶部２ｆ例えばＲＯＭ／ＲＡＭは、配線診断にかかるパラメータを記憶する。これらパラメータの一部はテーブルとして記憶される。本実施の形態では、図４に示す診断実施ユニット識別テーブルＴ１、図５に示す診断スイッチ状態管理テーブルＴ２、図６に示す診断開始パラメータテーブルＴ３、および図７に示す診断実施状況管理テーブルＴ４が格納される。
【００２１】
このうち、診断実施ユニット識別テーブルＴ１には、各返送ユニット３毎に診断の実施が可能か否かが記憶される。これは例えば図４に示すように、診断実施可能＝１、診断実施不能＝０として記憶される。
【００２２】
診断スイッチ状態管理テーブルＴ２には、診断実施設定部２ｇにおける設定が各返送ユニット３毎に記憶される。これは例えば図５に示すように、診断実施＝１、診断非実施＝０として記憶される。
【００２３】
診断開始パラメータテーブルＴ３には、トリガ信号の異常に基づいて診断を開始する基準が、診断開始パラメータＹとして各返送ユニット３毎に定められる。本実施の形態では、単位時間あたりの異常発生回数（以下、異常発生頻度と記す）Ｘが閾値Ｙより高い場合に、配線診断を開始する。このテーブルには各返送ユニット３毎に異常発生頻度の閾値Ｙが格納される。
【００２４】
診断実施状況管理テーブルＴ４には、このシステム１の各状況が、各返送ユニット３毎にパラメータにより記憶される。本実施の形態では、非動作状態、診断開始指令中、診断実施中、診断中断指令中、診断中断中、診断再開指令中、および診断終了指令中の各状態が、それぞれの各返送ユニット３毎に記録される。システム制御部２ａは、このテーブルＴ４を参照することにより、診断動作状況を迅速かつより的確に把握することができる。
【００２５】
診断実施設定部２ｇ例えば手動の診断スイッチは、各返送ユニット３毎に配線診断の実施／非実施を設定する。ここで配線診断の実施が設定された場合には、システム制御部２ａは、トリガ信号による異常判別の有無に拘わらず回線の異常診断を行う。
【００２６】
入力部２ｈ例えば操作ボタンは、記憶部２ｆに記憶される各パラメータを適宜変更することができる。変更可能なパラメータとしては、例えば、診断開始パラメータＹ、診断実施ユニット識別テーブルＴ１における診断可能なユニットを示すパラメータなどがある。
【００２７】
出力部２ｉ例えば表示部（例えばディスプレイ）は、診断結果、あるいは前記各診断状況の出力を行う。この出力は、各返送ユニット３毎に行われる。
【００２８】
次に、返送ユニット３について説明する。この返送ユニット３は、各部の制御を司る返送ユニット制御部３ａを備える。またこの返送ユニット３は、信号送受信部３ｂ、切換スイッチ３ｃ、および信号検出部３ｄ，３ｅを備え、これらはそれぞれ返送ユニット制御部３ａに接続されている。本実施の形態においてこの返送ユニット３は、分岐端子間の屋内配線部６ａにおいて端末５側に設けられた第二の診断ユニットに相当する。
【００２９】
返送ユニット制御部３ａは、返送ユニット３の制御を司る。即ち、信号送受信部３ｂにおける信号の送受信の制御、および切換スイッチ３ｃにおける接続の切り換えの制御を行う。また、診断ユニット２からの制御信号に対する確認信号（例えば診断の開始、中断、終了、あるいは再開の指令に対して承諾または拒否を確認させる信号等）を生成する。
【００３０】
信号送受信部３ｂは、診断ユニット３との間で配線の異常を診断する信号（即ち本実施の形態では診断信号と返送信号）等の信号の送受信を行う。診断ユニット２に送信する信号としては、診断信号に対する返送信号の他、診断の実施にかかる信号、例えば診断の開始、中断、終了、あるいは再開を指令する信号に対する確認信号あるいは拒否信号等がある。本実施の形態では、診断信号に対する返信は、ループバックにより行う。即ち、受け取った診断信号を、診断ユニットに対してそのまま返送信号として返送する。この信号送受信部３ｂにおいて送受信される信号には、それぞれＩＳＤＮの情報チャネルビットの一つ（例えばＢ１，Ｂ２，Ｄチャネル等）が用いられる。
【００３１】
切換スイッチ３ｃは、屋内配線部６の分岐端子ｔに設けられ、診断実施側の配線６ａ（即ち前記分岐端子間の屋内配線部６ａ）を電話回線から独立配線として切り離す。本実施の形態において切換スイッチ３ｃは、診断システム制御部２ａから返送ユニット制御部３ａを介してその切り換えを制御される。また、切換スイッチ３ｃは、屋内配線部６の遮断時において、診断実施側の配線６ａと信号送受信部３ｂとを接続する。遮断時においてこの切換スイッチ３ｃは、屋内配線部６を通じた通常の回線使用（即ち着信または発信）を不能とし、診断実施側配線６ａを端末５から分離独立させる。
【００３２】
切換スイッチ３ｃの端末５側、および屋外配線部７側の屋内配線部６には、それぞれ信号検出部３ｄ，３ｅがそれぞれ接続される。信号検出部３ｄ，３ｅは、電話回線を通じた通話信号、端末５側からの発信要求、屋外配線部７側からの着信要求等を検出する。
【００３３】
次に、本実施の形態にかかるＩＳＤＮ屋内電話配線異常診断システムの配線診断手順について説明する。図８〜図１１には、配線の異常診断にかかる診断ユニットの動作を示すフローチャートを、図１２，図１３には、配線の異常診断にかかる返送ユニットの動作を示すフローチャートを、それぞれ示す。
【００３４】
まず、診断ユニット２の動作について説明する。まず最初に、配線診断の開始にあたり、診断システム制御部２ａは、配線の診断を実施可能な返送ユニット３の有無を確認する（ステップＳ１〜４）。より具体的には、例えば診断実施ユニット識別テーブルＴ１を参照し、診断の実施が可能な返送ユニット（即ち診断可能な返送ユニット）３が一つでもある場合には、診断側検出部２ｄにおける信号の検出が開始され（ステップＳ２）、診断実施状況管理テーブルＴ４に非動作状態であることが記憶される（ステップＳ３）。
【００３５】
一方、ステップＳ１で、診断実施ユニット識別テーブルＴ１において全ての返送ユニット３に対する診断の実施が不可能となっている場合には、診断側検出部２ｄおよび非診断側検出部２ｅが停止され（ステップＳ４）、このシステムによる配線診断が終了される。
【００３６】
次に、配線診断を行うか否かを判別する（ステップＳ５〜Ｓ２０）。本実施形態においては、配線診断は、１）診断実施設定部２ｇにおいて診断を実施するユニット３が一つでも設定されていた場合、２）診断中断中の状態であった場合、あるいは３）トリガ信号において異常が検出された場合において行われる。ただし、４）回線が使用中であった場合、あるいは５）ユニット２，３間の事前の交信確認において異常が確認された場合には、配線診断は行われない。
【００３７】
より具体的には、例えば診断スイッチ状態管理テーブルＴ２を参照して、診断実施設定部２ｇ例えば診断スイッチのＯＮ／ＯＦＦが確認され、診断スイッチ２ｇが一つでもＯＮとなっていた場合には、回線の使用中を確認するステップＳ１１へ進む（ステップＳ５）。また、診断システム制御部２ａは、診断が中断中であるか否かを、例えば診断実施状況管理テーブルＴ４を参照して確認し、診断中断中であった場合には、同じくステップＳ１１へ進む（ステップＳ６）。また、トリガ信号に異常が検出された場合には（ステップＳ７）、異常を例えばエラーログとして記憶部２ｆ例えばＲＡＭに記憶するとともに（ステップＳ８）、異常発生頻度Ｘを算出し（ステップＳ９）、予め記憶部に登録された診断開始パラメータＹと、算出した異常発生頻度Ｘとを比較して（ステップＳ１０）、算出した異常発生頻度Ｘが前記パラメータＹより大きい場合には、ステップＳ１１へ進む。なお、ステップＳ７において異常が検出されなかった場合、あるいはステップＳ１０において異常発生頻度Ｘが前記パラメータＹより低かった場合には、再び配線診断の実施判別を行う。即ち本実施の形態では、ステップＳ５に戻る。
【００３８】
検出部２ｄ，２ｅは、ステップＳ１１において、回線が使用中であるか否か、即ち情報チャネルビットＢ１，Ｂ２，あるいは信号方式チャネルビットＤが使用中であるか否かを確認する。回線が使用中であった場合には、この使用確認を逐次反復する。
【００３９】
回線を使用中でないことが確認されると、切換スイッチ２ｃが信号送受信部側に切り換えられ（ステップＳ１２）、非診断側検出部２ｅが検出を開始し（ステップＳ１３）、次いで診断信号を送信する返送ユニット３との交信が正常に実施可能か否かが確認される（ステップＳ１４〜Ｓ２０）。より具体的には、診断システム制御部２ａは、まず確認タイマにより計時を開始し（ステップＳ１４）、次いで、診断中断中の状態であるか否かを例えば診断実施状況管理テーブルＴ４を参照して確認する（ステップＳ１５）。診断中断中でない場合には、各返送ユニット３に対し順次診断開始指令信号を送信するとともに（ステップＳ１６）、診断開始指令中の状態であることを診断実施状況管理テーブルＴ４に記憶させる（ステップＳ１７）。また一方、診断中断中である場合には、各返送ユニット３に対し順次診断再開指令信号を送信するとともに（ステップＳ１８）、診断再開指令中の状態であることを診断実施状況管理テーブルＴ４に記憶させる（ステップＳ１９）。
【００４０】
次に、返送ユニット３から返送された診断開始／再開指令信号に対する確認信号に基づいて、分岐端子間の独立配線（屋内配線部）６ａの診断が可能な状態か否かを判別する（ステップＳ２０）。この判別は、例えば確認信号の内容、あるいはステップＳ１４からこの信号が到着するまでの時間に基づいて行われる。即ち、確認信号が診断の開始あるいは再開を拒否する信号であった場合、あるいは確認信号がステップＳ１４からの所定時間内に受信できなかった場合には、回線の診断を実施不可能な状態と判別する。この場合診断システム制御部２ａは、非診断側検出部２ｅを停止させ（ステップＳ２１）、診断実施状況管理テーブルＴ４に非動作状態であることを記憶させ（ステップＳ２２）、切換スイッチ２ｃを通常の回線使用を可能な状態とする側に切り換え（ステップＳ２３）、診断不能状態であることを出力部２ｉより出力させる（ステップＳ２４）。
【００４１】
ステップＳ２０において、受信した確認信号が診断の開始あるいは再開を承諾する信号であった場合、あるいは確認信号が所定時間内に受信できた場合には、診断の実施が可能であると判別される。この場合には、回線の診断が行われる（ステップＳ２５〜Ｓ３１）。まず、診断実施状況管理テーブルＴ４には診断中であることが記憶され（ステップＳ２５）、次いで、各返送ユニット３に対して順次診断信号が送信される（ステップＳ２６）。しかしここで、検出部２ｄ，２ｅにおいて発信要求または着信要求が検出された場合には（ステップＳ２７，Ｓ２８）、配線診断が中断される（ステップＳ４２〜Ｓ５５）。これついては後述する。
【００４２】
ステップＳ２７，Ｓ２８において発信要求あるいは着信要求が検出されなかった場合には、送信した診断信号に対する返送信号が信号送受信部２ｂにおいて受信される（ステップＳ２９）。診断システム制御部２ａは受信された返送信号と、送信した診断信号とを比較し、配線の異常判別を行う（ステップＳ３０）。より具体的には、このステップＳ３０において診断システム制御部は、診断信号と返送信号とを、例えばこれら信号のビット同士の比較により異常の有無を判別する。配線異常と判別された場合には、記憶部２ｆ例えばＲＡＭに、返送ユニット３の識別番号とエラーログとが記憶される（ステップＳ３１）。なおエラーログは、例えば、返送信号を受信できなかった場合と、返送信号を受信したものの診断信号との差異が大きかった場合とを判別できる形態で記憶される。
【００４３】
本実施の形態では、各返送ユニット３に対して順次診断を行うことにより、診断を実施した屋内配線部６ａのどの部分が原因で異常が発生しているかを知ることができる。図１に示す例では、端末Ａに隣接して設けられた返送ユニット３と診断ユニット２との間の診断では異常があり、端末Ｂおよび端末Ｃに隣接した返送ユニット３と診断ユニット２との間の診断では異常が無かった場合には、屋内配線部６ａのうち、端末Ａのみが通信に使用する部分に異常があることがわかる。
【００４４】
診断が終了すると（ステップＳ３２）、各返送ユニット３に対して順次診断の終了を指令するとともに、この指令が正しく行われたか否かが判別される（ステップＳ３３〜Ｓ３６）。より具体的には、診断終了確認タイマが起動され（ステップＳ３３）、返送ユニット３に対して診断終了指令信号が送信される（ステップＳ３４）。次いで、診断実施状況管理テーブルＴ４に診断終了指令中の状態であることが記憶される（ステップＳ３５）。次いで返送ユニット３から送信された確認信号に基づいて、返送ユニット３が正しく信号を受信したかを判別する（ステップＳ３６）。この判別は、例えばステップＳ３３の計時開始から確認信号が到着するまでの時間に基づいて行われる。所定の時間が過ぎても確認信号を受信できなかった場合には、記憶部２ｆ例えばＲＡＭに、診断の異常終了を示すログが記憶される（ステップＳ３８）。
【００４５】
次いでシステムの終了処理が行われる（ステップＳ３８〜Ｓ４１）。まず、診断実施状況管理テーブルＴ４に非動作状態であることが記憶され（ステップＳ３８）、非診断側検出部２ｅが停止される（ステップＳ３９）。次いで切換スイッチ２ｃが通常の回線使用を可能な状態とする側に切り換えられ（ステップＳ４０）、診断結果が出力部２ｉより出力される（ステップＳ４１）。
【００４６】
本実施の形態においては、診断中に発信要求あるいは着信要求があった場合には配線診断が中断されるが、診断実施側の検出部２ｄにおいて検出された場合と、診断非実施側の検出部２ｅにおいて検出された場合とで、その処理は異なる。
【００４７】
診断側検出部２ｄにおいて発信／着信要求が検出された場合には（ステップＳ２７）、まず返送ユニット３への診断信号の送信が中止され（ステップＳ４２）、診断実施状況管理テーブルＴ４に診断中断中の状態であることが記憶される（ステップＳ４３）。次いで非診断側検出部２ｅが停止され（ステップＳ４４）、切換スイッチ２ｃが通常回線使用側に切り換えられる（ステップＳ４５）。
【００４８】
一方、非診断側検出部２ｅにおいて発信／着信要求が検出された場合には（ステップＳ２８）、まず返送ユニット３への診断信号の送信が中止され（ステップＳ４６）、次いで、返送ユニット３に対して診断の中断を指令するとともに、この指令が正しく承認されたか否かが判別される（ステップＳ４７〜Ｓ４９）。より具体的には、診断中断確認タイマが起動され（ステップＳ４７）、返送ユニット３に対して診断中断指令信号が送信される（ステップＳ４８）。次いで、診断実施状況管理テーブルＴ４に診断中断指令中の状態であることが記憶される（ステップＳ４９）。次いで返送ユニット３から返送された確認信号に基づいて、返送ユニット３が正しく信号を受信したか否かを判別する（ステップＳ５０）。この判別は、例えばステップＳ４７から確認信号が到着するまでの時間に基づいて行われる。所定の時間が過ぎても確認信号を受信できなかった場合には、記憶部２ｆ例えばＲＡＭに、診断異常中断を示すログが記憶され（ステップＳ５１）、診断実施状況管理テーブルＴ４に非動作状態であることが記憶される（ステップＳ５２）。
【００４９】
ステップＳ５０では、返送ユニット３からの確認信号が所定時間内に到着した場合には診断を中断可能な状態と判別され、まず診断実施状況管理テーブルＴ４に診断中断中の状態であることが記憶される（ステップＳ５３）。次いで非診断側検出部２ｅが停止され（ステップＳ５４）、切換スイッチ２ｃが通常の回線使用を可能な状態とする側に切り換えられる（ステップＳ５５）。これにより診断が中断される。
【００５０】
次に、返送ユニット３の動作について説明する。ステップＳ１６またはステップＳ１８において診断ユニット２から送信された診断開始／再開指令信号を受信すると（ステップＳ５６）、回線が使用中であるか否かが確認され（ステップＳ５７）。この診断開始／再開指令信号は、診断ユニット２から例えばＤチャネル信号として送信され、診断側検出部３ｄにおいて検出される。ここで回線が使用中であった場合には、診断の開始あるいは再開を拒否する信号を返送ユニット制御部３ａにおいて生成し、信号送受信部３ｂより診断ユニット２に返信する。一方、回線が使用中でなかった場合には、切換スイッチ３ｃを信号送受信部側に切り換えるとともに（ステップＳ５９）、診断の開始あるいは再開を承認する確認信号を診断ユニット２に返信する。この状態で診断信号を受信した場合には、受信した診断信号を、返送例えばループバックする（ステップＳ６０）。この返送処理中に、非診断側から発信／着信要求があった場合には（ステップＳ６１）、返送処理すなわち配線診断を中断し（ステップＳ６２）、切換スイッチ３ｃを通常の回線使用を可能な状態とする側に切り換え（ステップＳ６３）、この発信／着信要求を診断ユニット２側に送信する（ステップＳ６４）。
【００５１】
診断中即ち返送処置中に診断中断指令信号を受信した場合には（ステップＳ６５）、返送処理すなわち配線診断を中断し（ステップＳ６６）、この信号に対する返送信号を診断ユニット２に返送し（ステップＳ６７）、切換スイッチ３ｃを通常の回線使用を可能な状態とする側に切り換える（ステップＳ６８）。
【００５２】
診断ユニット２から診断終了指令信号を受信すると（ステップＳ６９）、この信号に対する確認信号を送信し（ステップＳ７０）、切換スイッチ３ｃを通常の回線使用を可能な状態とする側に切り換えて全ての処理を終了する（ステップＳ７１）。
【００５３】
なお本実施の形態では、診断信号および返送信号の送信に使用するチャネル（例えばＢ１）と、診断の動作指令（開始、中断、終了、再開等）を確認（承認）または拒否する信号の送信に使用するチャネル（例えばＢ２）と、および着信／発信要求信号の送信に使用するチャネル（例えばＤ）とが、それぞれ異なるように構成する。このような構成によれば、これら信号の相互干渉を抑制し、より効率良く配線診断を行うことができる。
【００５４】
次に、本発明の屋内電話配線異常診断システムをＩＳＤＮ屋内電話配線の診断に適用した第二の実施の形態について説明する。図１４に、本システムの概略構成図を示す。このシステム１１では、診断ユニット２１は屋内配線部６において屋外配線部７より最も遠い側の端末５（端末Ａ）に隣接して備えられ、また、返送ユニット３１はＤＳＵ４側即ち屋外配線部７に最も近い側に備えられている。即ち、本実施の形態においても、診断ユニット２１は第二診断ユニットとして、また返送ユニット３１は第一診断ユニットとして構成されている。このようなシステム構成によっても前述した第一の実施の形態と同様に、配線の異常診断をおこなうことができる。
【００５５】
次に、本発明の屋内電話配線異常診断システムをＩＳＤＮ屋内電話配線の診断に適用した第三の実施の形態について説明する。図１５に、本実施の形態にかかるシステムを適用したＩＳＤＮ屋内配線の概略構成図を示す。このシステム１２では、診断ユニット２２は屋内配線部６の途中の端末５（端末Ｃ）に隣接して備えられ、また、返送ユニット３２はＤＳＵ４に隣接して備えられる。即ち、本実施の形態においても、診断ユニット２２は第二診断ユニットとして、また返送ユニット３２は第一診断ユニットとして構成されている。このようなシステム構成によっても前述した第一または第二の実施の形態と同様に、配線の異常診断をおこなうことができる。
【００５６】
本発明は前述した実施の形態には限られない。各診断ユニット（第一診断ユニット、第二診断ユニット、異常診断ユニット、あるいは診断信号返送ユニット）は、それぞれＤＳＵ、端末、ＴＡ、あるいは中継部品に内蔵されてもよい。また、前述の実施の形態では、異常診断ユニットと診断信号返送ユニットとを対にして配線の異常を診断する信号の送受信を行うものであったが、この双方を異常診断ユニットにより構成するようにしてもよい。また、診断実施設定部２ｇ、入力部２ｈあるいは出力部２ｉを、診断信号返送ユニットに備えてもよい。
【００５７】
【発明の効果】
以上説明したように本発明によれば、異常診断システムは、屋内配線部に設けられる複数の分岐端子間の屋内配線部を独立配線として電話回線から切り離し、この独立配線に接続した二つの診断ユニットにおける信号の送受信に基づいて配線の異常を診断する。これにより、電話回線の屋内配線部に対して所望のタイミングで配線の異常診断を行うことができる。また切換スイッチを備えることにより、発信または着信からの影響を排除して配線の異常診断を精度良く行うことができるとともに、この異常診断による通話への干渉を防止することができる。
【００５８】
また本発明によれば、異常診断システムは、着信要求検出部において着信要求が検出された際、あるいは発信要求検出部において発信要求が検出された際には、独立配線を電話回線に接続するよう切換スイッチを切り換え制御し、配線の異常診断を中断する。このように、異常診断に対して発信または着信に伴う通話を優先させることにより、通話における重要な情報の送受に支障を来すことなく、屋内配線の異常診断を行うことができる。
【００５９】
また本発明によれば、異常診断システムは、着信要求による着信もしくは前記発信要求による発信の終了に伴い、切換スイッチは前記独立配線を電話回線から切り離す。これにより、屋内配線の異常診断を速やかに行うことができる。さらに、本発明によれば中断したことを記憶する記憶部を備える。このため、さらに迅速に異常診断を再開して配線の異常を確認することができる。
【００６０】
また本発明によれば、異常診断システムは、中断したことを記憶する記憶部を備える。このため、さらに迅速に異常診断を再開して配線の異常を確認することができる。
【００６１】
また本発明によれば、異常診断システムは、配線の異常診断を開始するトリガ信号を検出するトリガ信号検出部を備える。これにより、配線の異常診断を自動的に開始させることができるので、屋内配線部における異常発生をより迅速に確認することができる。
【００６２】
また本発明によれば、異常診断ユニットは、屋内電話配線の接続／遮断を切り換える切換スイッチと、切換スイッチの遮断により分離された前記配線の一方側に接続され、接続された側の配線に対して配線の異常を診断する診断信号を送信し、この診断信号に対する返送信号を受信する信号送受信部と、診断信号と返送信号とに基づいて配線の異常を診断する異常診断部とを備える。これにより、電話回線の屋内配線部に対して所望のタイミングで配線の異常診断を行うことができる。また切換スイッチを備えることにより、発信または着信にかかる信号と干渉することなく配線の異常診断を精度良く行うことができるとともに、この異常診断による通話への干渉を防止することができる。
【００６３】
また本発明によれば、異常診断ユニットは、前記切換スイッチにより遮断される前記屋内電話配線に分岐端子を介して接続され、これら配線の信号を検出する信号検出部を備える。これにより、異常診断にかかる信号、着信要求、発信要求の発生を検出することができるので、異常診断を迅速かつ精度良く行うことができるとともに、異常診断による発信または着信への悪影響を低減することができる。
【００６４】
また本発明によれば、診断信号返送ユニットは、屋内電話配線の接続／遮断を切り換える切換スイッチと、切換スイッチの遮断により分離された前記配線の一方側に接続され、接続された側の前記配線から配線の異常を診断する診断信号を受信し、この診断信号をそのまま接続された側の前記配線に返送する信号送受信部と、を備える。このように診断信号をそのままの形態で返送することにより、診断返送ユニットをより簡易な構成とすることができるので、このユニット、ひいてはシステム全体を小型軽量に構成することができる。
【図面の簡単な説明】
【図１】  本発明の第一の実施の形態にかかる屋内電話配線の異常診断システムの概略構成図である。
【図２】  本発明の第一の実施の形態にかかる屋内電話配線の異常診断システムの異常診断ユニットの概略構成図である。
【図３】  本発明の第一の実施の形態にかかる屋内電話配線の異常診断システムの診断信号返送ユニットの概略構成図である。
【図４】  本発明の第一の実施の形態にかかる屋内電話配線の異常診断システムの診断実施ユニット識別テーブルを示す図である。
【図５】  本発明の第一の実施の形態にかかる屋内電話配線の異常診断システムの診断スイッチ状態管理テーブルを示す図である。
【図６】  本発明の第一の実施の形態にかかる屋内電話配線の異常診断システムの診断開始パラメータテーブルを示す図である。
【図７】  本発明の第一の実施の形態にかかる屋内電話配線の異常診断システムの診断実施状況管理テーブルを示す図である。
【図８】  本発明の第一の実施の形態にかかる屋内電話配線の異常診断における異常診断ユニットの動作を示すフローチャートである。
【図９】  本発明の第一の実施の形態にかかる屋内電話配線の異常診断における異常診断ユニットの動作を示すフローチャートである（図８の続き）。
【図１０】  本発明の第一の実施の形態にかかる屋内電話配線の異常診断における異常診断ユニットの動作を示すフローチャートである（図９の続き）。
【図１１】  本発明の第一の実施の形態にかかる屋内電話配線の異常診断における異常診断ユニットの動作を示すフローチャートである（図９の続き）。
【図１２】  本発明の第一の実施の形態にかかる屋内電話配線の異常診断における診断信号返送ユニットの動作を示すフローチャートである。
【図１３】  本発明の第一の実施の形態にかかる屋内電話配線の異常診断における診断信号返送ユニットの動作を示すフローチャートである（図１２の続き）。
【図１４】  本発明の第二の実施の形態にかかる屋内電話配線の異常診断システムの概略構成図である。
【図１５】  本発明の第三の実施の形態にかかる屋内電話配線の異常診断システムの概略構成図である。
【符号の説明】
１，１１，１２  異常診断システム、２  異常診断ユニット（第一診断ユニット）、２ａ  診断システム制御部（制御部）、２ｂ  信号送受信部、２ｃ  切換スイッチ、２ｄ  診断側検出部、２ｅ  非診断側検出部（着信要求検出部）、２ｆ  記憶部、２ｇ  診断実施設定部、２ｈ  入力部、２ｉ  出力部、３  診断信号返送ユニット（第二診断ユニット）、３ａ  返送ユニット制御部、３ｂ  信号送受信部、３ｃ  切換スイッチ、３ｄ  診断側検出部、３ｅ  非診断側検出部（発信要求検出部）、４  ＤＳＵ、５  端末、６  屋内配線部、６ａ  独立配線、７  屋外配線部、２１，２２  異常診断ユニット（第二診断ユニット）、３１，３２  診断信号返送ユニット（第一診断ユニット）、ｔ  分岐端子。
【図１】
0003765706.tif 000002
【図２】
0003765706.tif 000003
【図３】
0003765706.tif 000004
【図４】
0003765706.tif 000005
【図５】
0003765706.tif 000006
【図６】
0003765706.tif 000007
【図７】
0003765706.tif 000008
【図８】
0003765706.tif 000009
【図９】
0003765706.tif 000010
【図１０】
0003765706.tif 000011
【図１１】
0003765706.tif 000012
【図１２】
0003765706.tif 000013
【図１３】
0003765706.tif 000014
【図１４】
0003765706.tif 000015
【図１５】
0003765706.tif 000016